(57)【要約】      （修正有）【課題】液体を容器の中に密封すると共に、一方では開封して容易く且つ確実に液体を釈放できるような、容器の中に包み込まれた開放装置を提供する。【解決手段】本考案に係る細長い容器の中に密封された液体を釈放するために使われる開放装置は、完全に前記細長い容器の中に包み込まれたスライドピストン式開放装置であって、前記スライドピストンのところ又はその近くで押し出し延長された容器によって形成され、前記開放装置が打開されると、前記容器の中に密封された液体を釈放して使用することが出来、又、前記容器の内容物が使われてしまう前に、前記スライドピストン式開放装置は開口を再び閉じることが出来、これによって前記容器の中に残留する液体を改めて密封することが出来る。【選択図】図１
0003126346.tif 000002
【実用新案登録請求の範囲】
【請求項１】
スライドピストン式開放装置であって、一節の管体と、スライドピストンと、液体と、を含み、
前記一節の管体部分には一個又は一個以上の開口を備え、
前記スライドピストンは、前記一節の管体の中に設置され、ほぼ前記一節の管体の内部直径に等しい密封直径を備え、且つ第一閉鎖位置から第二開放位置へ移動することができ、
前記スライドピストン式開放装置は、圧縮可能な管状カバーの中に付け加えられ、前記管状カバーは密封端部及び開放端部を有し、且つ前記一節の管体の外部直径とほぼ同じ内部直径を備え、
前記液体は、前記圧縮可能な管状カバーの前記密封端部に近いところに包み込まれ、且つ前記スライドピストン式開放装置によって前記圧縮可能な管状カバーの開放端部と分離され、前記圧縮可能な管状カバーの中に密封され、
スライドピストンのところ又はその付近で前記圧縮可能な管状カバーを押し付けると、前記スライドピストン式開放装置において、前記液体から前記圧縮可能な管状カバーの前記開放端部へ至る流通経路を開放及び閉鎖させることができることを特徴とする、
スライドピストン式開放装置。
【請求項２】
前記スライドピストンは、楕円形状の輪郭を持つことを特徴とする、請求項１に記載のスライドピストン式開放装置。
【請求項３】
前記一節の管体部分の前記開口は、一個又は一個以上の前記一節の管体の一部分を貫通するスリットであることを特徴とする、請求項１又は２に記載のスライドピストン式開放装置。
【請求項４】
前記管状カバーは、一個又は一個以上の塗布器に覆われた末端を備えていることを特徴とする、請求項１又は２に記載のスライドピストン式開放装置。
【請求項５】
前記一節の管体及び前記圧縮可能な管状カバーは、単一の単元として形成され、且つ前記一節の管体は、縮減された直径の形式で前記圧縮可能な管状カバーの中に置かれていることを特徴とする、請求項１又は２に記載のスライドピストン式開放装置。
【請求項６】
スライドピストン式開放装置であって、圧縮可能な管状カバーと、スライドピストンと、液体と、を含み、
前記圧縮可能な管状カバーは、密封端部と開放端部とを備え、両端部の間にはリミットがあり、
前記スライドピストンは、前記リミットの中に設置され、ほぼ前記リミットの内部直径に等しい密封直径を有し、且つ前記リミットの閉鎖位置から前記リミットを遠く離れた開放位置へ移動することが出来、
前記液体は、前記圧縮可能な管状カバーの前記密封端部に近いところに包み込まれ、且つ前記スライドピストン式開放装置によって前記圧縮可能な管状カバーの開放端部と分離され、前記圧縮可能な管状カバーの中に密封されて、
スライドピストンのところ又はその付近で前記圧縮可能な管状カバーを押し付けると、前記スライドピストン式開放装置において、前記液体から前記圧縮可能な管状カバーの前記開放端部へ至る流通経路を開放及び閉鎖させることができることを特徴とする、
スライドピストン式開放装置。
【請求項７】
前記スライドピストンは、楕円形状の輪郭を有することを特徴とする、請求項６に記載のスライドピストン式開放装置。
【請求項８】
前記管状カバーは、一個又は一個以上の塗布器に覆われた末端を備えていることを特徴とする、請求項６又は７に記載のスライドピストン式開放装置。
【請求項９】
スライドピストン式開放装置であって、第一節管体と、第二節管体と、スライドピストンと、液体と、を含み、
前記第二節管体は、前記第二節管体を貫通する開口を備え、
前記スライドピストンは、前記第一節管体内に設置され、その両端の間には、ほぼ前記第一節管体の内部直径に等しい密封直径があり、且つ前記第一節管体から前記第二節管体へ移動することができ、
前記スライドピストン式開放装置は、圧縮可能な管状カバーの中に付け加えられ、前記圧縮可能な管状カバーは、密封端部と開放端部を備え、且つ前記第一節管体の外部直径とほぼ等しい内部直径を有し、前記液体は、前記圧縮可能な管状カバーの前記密封端部に近いところに包み込まれ、且つ前記スライドピストン式開放装置によって前記圧縮可能な管状カバーの開放端部と分離され、前記圧縮可能な管状カバーの中に密封され、
スライドピストンのところ又はその付近で前記圧縮可能な管状カバーを押し付けると、前記スライドピストン式開放装置において、前記液体から前記圧縮可能な管状カバーの前記開放端部へ至る流通経路を開放及び閉鎖させることができることを特徴とする、
スライドピストン式開放装置。
【請求項１０】
前記スライドピストンは、楕円形状の輪郭を有することを特徴とする、請求項９に記載のスライドピストン式開放装置。
【請求項１１】
前記圧縮可能な管状カバーは、一個又は一個以上の塗布器に覆われた末端を有することを特徴とする、請求項９又は１０に記載のスライドピストン式開放装置。
【請求項１２】
スライドピストン式開放装置であって、一節の管体と、スライドピストンと、液体と、を含み、
前記スライドピストンは、前記一節の管体内に設置され、前記スライドピストンの貫通開口を貫通し、且つほぼ前記一節の管体の内部直径に等しい密封直径を有し、且つ前記管内の第一密封位置から前記管外にある第二開放位置へ移動することができ、
前記スライドピストン式開放装置は、圧縮可能な管状カバーの中に付け加えられ、前記管状カバーには密封端部及び開放端部を備え、且つ前記一節の管体の外部直径とほぼ同じ内部直径を有し、
前記液体は圧縮可能な管状カバーの前記密封端部に近いところに包み込まれ、且つ前記スライドピストン式開放装置によって前記圧縮可能な管状カバーの開放端部と分離され、前記圧縮可能な管状カバーの中に密封され、
スライドピストンのところ又はその付近で前記圧縮可能な管状カバーを押し付けると、前記スライドピストン式開放装置において、前記液体から前記圧縮可能な管状カバーの前記開放端部へ至る流通経路を開放及び閉鎖させることができることを特徴とする、スライドピストン式開放装置。
【請求項１３】
前記スライドピストンは、弾性材料によって作られ、前記第一密封位置では、円形輪郭及び閉鎖された開口を有し、第二開放位置では、楕円形輪郭及び開放された開口を有することを特徴とする、請求項１２に記載のスライドピストン式開放装置。
【請求項１４】
前記管状カバーは、一個又は一個以上の塗布器に覆われた末端を備えていることを特徴とする、請求項１２又は１３に記載のスライドピストン式開放装置。
【請求項１５】
前記一節の管体は、前記圧縮可能な管状カバーの一部分として形成され、前記圧縮可能な管状カバー内にあるリミットの形式を持っていることを特徴とする、請求項１２又は１３に記載のスライドピストン式開放装置。
【請求項１６】
スライドピストン式開放装置であって、一節の管体と、スライドピストンと、液体と、を含み、
前記一節の管体の一部分には一個又は一個以上の開口を備え、
前記スライドピストンは、前記一節の管体内に設置され、一端に付け加えられた塗布器先端を備え、且つ前記一節の管体の内部直径にほぼ等しい密封直径を有し、前記塗布器先端は、前記一節の管体内の前記開口に近いところに設置され、且つ前記塗布器先端の実質的に前記一節の管体内にある第一閉鎖位置から前記塗布器先端の実質的に前記一節の管体外にある第二開放位置へ移動することができ、
前記スライドピストン式開放装置は、圧縮可能な管状カバーの中に付け加えられ、前記管状カバーは、密封端部及び開放端部を備え、且つ前記一節の管体の外部直径とほぼ同じ内部直径を有し、
前記液体は、圧縮可能な管状カバーの前記密封端部に近いところに包み込まれ、且つ前記スライドピストン式開放装置によって前記圧縮可能な管状カバーの開放端部と分離され、前記圧縮可能な管状カバーの中に密封され、
スライドピストンのところ又はその付近で前記圧縮可能な管状カバーを押し付けると、前記スライドピストン式開放装置において、前記液体から前記圧縮可能な管状カバーの前記開放端部へ至る流通経路を開放及び閉鎖させることができることを特徴とする、
スライドピストン式開放装置。
【請求項１７】
前記一節の管体部分にある開口は、一個又は一個以上の前記一節の管体の一部分を貫通するスリットであることを特徴とする、請求項１６に記載のスライドピストン式開放装置。
【請求項１８】
前記一節の管体は、前記圧縮可能な管状カバーの部分として形成され、且つ前記圧縮可能な管状カバー内にあるリミットの形式を持っていることを特徴とする、請求項１６又は１７に記載のスライドピストン式開放装置。
【請求項１９】
スライドピストン式開放装置であって、一節の管体と、スライドピストンと、液体と、を含み、
前記一節の管体部分には一個又は一個以上の開口を備え；前記スライドピストンは、前記一節の管体の中に設置され、前記一節の管体の内部直径にほぼ等しい密封直径を有し、且つ第一閉鎖位置から第二開放位置へ移動することができ、
前記スライドピストン式開放装置は、圧縮可能な管状カバー内に付け加えられ、前記管状カバーには密封端部及び開放端部を備え、且つ前記一節の管体外部直径にほぼ等しい内部直径を有し、
前記液体は、前記圧縮可能な管状カバー内に包み込まれ、前記スライドピストン式開放装置と粘性物質の間に介在し、
スライドピストンのところ又はその付近で前記圧縮可能な管状カバーを押し付けると、前記スライドピストン式開放装置において、外部空気から前記包み込まれた液体へ至る空気経路を開放及び閉鎖させることができることを特徴とする、スライドピストン式開放装置。
【請求項２０】
前記スライドピストンは、楕円形の末端を備えていることを特徴とする、請求項１９に記載のスライドピストン式開放装置。
【請求項２１】
前記一節の管体部分にある開口は、一個又は一個以上の前記一節の管体の一部分を貫通するスリットであることを特徴とする、請求項１９又は２０に記載のスライドピストン式開放装置。
【請求項２２】
前記管状カバーは、一個又は一個以上の塗布器に覆われた末端を備えていることを特徴とする、請求項１９又は２０に記載のスライドピストン式開放装置。
【請求項２３】
スライドピストン式開放装置であって、第一節管体と、第一スライドピストンと、第二節管体と、第二スライドピストンと、液体と、を含み、
前記第一節管体は、前記第一節管体部分を貫通する開口を備え、
前記第一スライドピストンは、第一節管体内に設置され、前記第一節管体の内部直径にほぼ等しい密封直径を有し、且つ第一閉鎖位置から第二開放位置へ移動することができ、
前記第二節管体は、前記第二節管体部分を貫通する開口を備え、
前記第二スライドピストンは、第二節管体内に設置され、前記第二節管体の内部直径にほぼ等しい密封直径を有し、且つ第一閉鎖位置から第二開放位置へ移動することができ、
前記第一節管体及び前記第二節管体は、管状カバーの中に付け加えられ、前記管状カバーには前記第一節管体の外径とほぼ等しい内部直径を備え、
前記液体は、前記管状カバーの中に包み込まれ、前記第一節管体及び前記第二管体の間に介在することによって、前記管状カバーの中に密封され、
スライドピストンのところ又はその付近で前記圧縮可能な管状カバーを押し付けると、前記スライドピストン式開放装置において、外部空気から前記包み込まれた液体へ至る空気経路を開放及び閉鎖させることができることを特徴とする、
スライドピストン式開放装置。
【請求項２４】
前記第一節管体及び前記第二節管体にある開口は、一個又は一個以上の前記一節の管体のほぼ半分を貫通するスリットであることを特徴とする、請求項２３に記載のスライドピストン式開放装置。
【請求項２５】
前記管状カバーには、一個又は一個以上の塗布器に覆われた末端を備えることを特徴とする、請求項２３又は２４に記載のスライドピストン式開放装置。
【請求項２６】
前記第一節管体及び前記第二節管体は、前記管状カバーの部分として形成され、且つ前記管状カバーの二つのリミットをなすことを特徴とする、請求項２３又は２４に記載のスライドピストン式開放装置。
【請求項２７】
スライドピストン式開放装置であって、管状カバーと、スライドピストンと、液体と、を含み、
前記管状カバーは、開放端部及び密封端部を備え、前記開放端部は凹溝を有し、
前記スライドピストンは、前記管状カバーの中に設置され、前記細長い管状カバーの内部直径にほぼ等しい密封直径を備え、且つ第一閉鎖位置から第二開放位置へ移動することができ、
前記液体は、前記圧縮可能な管状カバーの前記密封端部に近いところに包み込まれ、且つ前記スライドピストン式開放装置によって前記管状カバーの開放端部と分離され、前記管状カバーの中に密封され、
前記スライドピストン式開放装置において、スライドピストン又はその付近の管状カバーを押し付けると、液体から前記管状カバーの前記開放端部へ至る流通経路を開放又は閉鎖させることができることを特徴とする、
スライドピストン式開放装置。
【請求項２８】
前記スライドピストンは、楕円形の輪郭を備えていることを特徴とする、請求項２７に記載のスライドピストン式開放装置。
【請求項２９】
細長い部品及び前記液体は、前記管状カバーの中に設置されていることを特徴とする、請求項２７又は２８に記載のスライドピストン式開放装置。
【請求項３０】
前記管状カバーは、一個又は一個以上の塗布器に覆われた末端を有することを特徴とする、請求項２７又は２８に記載のスライドピストン式開放装置。
【請求項３１】
前記管状カバーは、第二管状カバーの中に設置され、塗布器は前記第二管状カバーの開放端部に付け加えられていることを特徴とする、請求項２７又は２８に記載のスライドピストン式開放装置。
【請求項３２】
前記第二管状カバーの前記開放端部は、前記第二管状カバーの直径より小さい直径を備えていることを特徴とする、請求項３１に記載のスライドピストン式開放装置。
【請求項３３】
前記塗布器は、前記第二管状カバーの開放端部に付け加えられていることを特徴とする、請求項３２に記載のスライドピストン式開放装置。
【請求項３４】
前記管状カバー及び前記第二管状カバーは、単一の単元として形成され、且つ前記管状カバーは前記第二管状カバーの中の縮減された直径区間に形成されていることを特徴とする、請求項３１乃至請求項３３のいずれかに記載のスライドピストン式開放装置。
【請求項３５】
スライドピストン式開放装置であって、開放端部を備えた第一管状カバーと、前記第一管状カバー内に設置され、開放端部及び密封端部を有する第二管状カバーと、前記第二管状カバーの前記開放端部付近に設置されたスライドピストンと、液体と、を含み、
前記スライドピストンは、前記第二管状カバーの内部直径にほぼ等しい密封直径を備え、且つ第一閉鎖位置から第二開放位置へ移動することができ、
前記液体は、前記第二管状カバーの前記密封端部の中に包み込まれ、且つ前記スライドピストンによって前記第二管状カバーの開放端部と分離され、前記管状カバーの中に密封され、
前記スライドピストン式開放装置において、スライドピストン又はその付近の管状カバーを押し付けると、液体から前記第二管状カバーの前記開放端部へ至る流通経路を開放又は閉鎖させることができることを特徴とする、スライドピストン式開放装置。
【請求項３６】
前記スライドピストンは、楕円形状の輪郭を備えることを特徴とする、請求項３５に記載のスライドピストン式開放装置。
【請求項３７】
前記細長い部品は、前記液体と共に前記管状カバーの中に設置されていることを特徴とする、請求項３５又は３６に記載のスライドピストン式開放装置。
【請求項３８】
前記塗布器は前記第一管状カバーの一個又は複数個の末端に付け加えられていることを特徴とする、請求項３５又は３６に記載のスライドピストン式開放装置。
【請求項３９】
前記第一管状カバーの前記開放端部は、前記第一管状カバーの直径より小さい直径を備えていることを特徴とする、請求項３５又は３６に記載のスライドピストン式開放装置。
【請求項４０】
前記塗布器は、前記第一管状カバーの前記開放端部に付け加えれられていることを特徴とする、請求項３９に記載のスライドピストン式開放装置。
【請求項４１】
スライドピストン式開放装置であって、開放端部及び密封端部を備えた管状カバーと、前記管状カバーの前記開放端部に近いところに設置されたスライドピストンと、液体と、を含み、
前記管状カバーの前記開放端部に近いところの内部直径は、前記密封端部に近いところの内部直径より大きく、
前記スライドピストンは、前記管状カバーの前記開放端部の内部直径より小さく、前記管状カバーの前記密封端部に近いところの内部直径より大きく、且つ第一閉鎖位置から第二開放位置へ移動することができ、
前記液体は、前記第二管状カバーの前記密封端部の中に包み込まれ、且つ前記スライドピストンによって前記管状カバーの開放端部と分離され、前記管状カバーの中に密封され、
前記スライドピストン式開放装置において、スライドピストン又はその付近の管状カバーを押し付けると、液体から前記管状カバーの前記開放端部へ至る流通経路を開放又は閉鎖させることができることを特徴とする、スライドピストン式開放装置。
【請求項４２】
前記スライドピストンは、楕円形状の輪郭を備えることを特徴とする、請求項４１に記載のスライドピストン式開放装置。
【請求項４３】
前記細長い部品は、前記液体と共に前記管状カバーの中に設置されていることを特徴とする、請求項４１又は４２に記載のスライドピストン式開放装置。
【請求項４４】
前記塗布器は、管体に付け加えられ、前記管体は、部分的に前記管状カバーの前記開放端部の中に付け加えられていることを特徴とする、請求項４１又は４２に記載のスライドピストン式開放装置。
【請求項４５】
スライドピストン式開放装置であって、短節の管体と、前記短節の管体内に設置されたスライドピストンと、液体と、を含み、前記スライドピストンは、前記短節の管体の内部直径にほぼ等しい密封直径を有し、且つ第一閉鎖位置から第二開放位置へ移動することができ、
前記スライドピストン式開放装置は、圧縮可能な管状カバーの中に付け加えられ、前記管状カバーには密封端部及び開放端部を備え、且つ前記短節の管体の外部直径にほぼ等しい内部直径を有し、
前記液体は、前記圧縮可能な管状カバーの中に密封され、且つ前記スライドピストンによって前記圧縮可能な管状カバーの開放端部と分離され、前記圧縮可能な管状カバーの中に密封され、
前記スライドピストン式開放装置において、スライドピストン又はその付近の圧縮可能な管状カバーを押し付けると、液体から前記圧縮可能な管状カバーの前記開放端部へ至る流通経路を開放又は閉鎖させることができることを特徴とする、
スライドピストン式開放装置。
【請求項４６】
前記スライドピストンは、楕円形状の輪郭を備えることを特徴とする、請求項４５に記載のスライドピストン式開放装置。
【請求項４７】
前記管状カバーは、一個又は一個以上の塗布器に覆われた末端を有することを特徴とする、請求項４５又は４６に記載のスライドピストン式開放装置。
【請求項４８】
前記管状カバーの前記開放端部は、前記管状カバーの直径より小さい直径を有することを特徴とする、請求項４５又は４６に記載のスライドピストン式開放装置。
【請求項４９】
前記塗布器は、前記管状カバーの前記開放端部に付け加えられていることを特徴とする、請求項４８に記載のスライドピストン式開放装置。
【請求項５０】
前記短節の管体及び前記管状カバーは、単一の単元として形成され、且つ前記短節の管体は前記管状カバー内の縮減直径区間に形成されていることを特徴とする、請求項４５又は４６に記載のスライドピストン式開放装置。
【請求項５１】
スライドピストン式開放装置であって、第一管状カバーと、円柱型の壁と、密封端部と、第二管状カバーと、スライドピストンと、液体と、を含み、前記第一管状カバーは、開放端部及び密封端部を備え、
前記第二管状カバーは、前記円柱型の壁の別の一端の開口の近くにあり、
前記スライドピストンは、前記第二管状カバーの中に設置され、前記第二管状カバーの内部直径より小さい密封直径を有し、且つ第一閉鎖位置から第二開放位置へ移動することができ、
前記液体は、前記第二管状カバーの前記密封端部に包み込まれ、且つ前記スライドピストンによって前記開口と分離され、前記第二管状カバーの中に密封され、
前記スライドピストン式開放装置において、スライドピストン又はその付近の管状カバーを押し付けると、液体から前記第二管状カバーの前記開口へ至る流通経路を開放又は閉鎖させることができることを特徴とする、
スライドピストン式開放装置。
【請求項５２】
前記スライドピストンは、楕円形状の輪郭を備えることを特徴とする、請求項５１に記載のスライドピストン式開放装置。
【請求項５３】
前記細長い部品は、前記液体と共に前記管状カバーの中に設置されていることを特徴とする、請求項５０又は５１に記載のスライドピストン式開放装置。
【請求項５４】
前記第一管状カバーは、一個又は一個以上の塗布器に覆われた末端を有することを特徴とする、請求項５０又は５１に記載のスライドピストン式開放装置。
【請求項５５】
前記第一管状カバーの前記開放端部は、前記管状カバーの直径より小さい直径を備えていることを特徴とする、請求項５４に記載のスライドピストン式開放装置。
【請求項５６】
前記塗布器は、前記第二管状カバーの前記開放端部に付け加えられていることを特徴とする、請求項５５に記載のスライドピストン式開放装置。
【請求項５７】
スライドピストン式開放装置であって、管状カバーと、一節の管体と、開口と、スライドピストンと、液体と、を含み、前記管状カバーは、開放端部及び密封端部を備え、
前記一節の管体は、円柱型の壁を有し、その一端は前記管状カバーの開放端部に付け加えられ、前記開口は、前記円柱型の壁の別の一端の近くにあり、
前記スライドピストンは、前記一節の管体の中に設置され、前記一節の管体の内部直径にほぼ等しい密封直径を有し、且つ第一閉鎖位置から第二開放位置へ移動することができ、
前記液体は、前記管状カバーの前記密封端部に包み込まれ、且つ前記スライドピストン式開放装置に包囲され、前記圧縮可能な管状カバーの中に密封され、前記スライドピストン式開放装置において、前記管状カバーを押し付けてスライドピストンを推進させると、液体から前記一節の管体の一端の前記開口へ至る流通経路を開放させることができることを特徴とする、
スライドピストン式開放装置。
【請求項５８】
前記スライドピストンは、楕円形状の輪郭を備えることを特徴とする、請求項５７に記載のスライドピストン式開放装置。
【請求項５９】
前記開口を備えた前記一節の管体の前記末端は塗布器によって覆われていることを特徴とする、請求項５７又は５８に記載のスライドピストン式開放装置。
【請求項６０】
スライドピストン式開放装置であって、管状カバーと、一節の管体と、スライドピストンと、液体と、を含み、前記管状カバーは、開放端部及び密封端部を備え、
前記一節の管体は、円柱型の壁を有し、第一開放端部と第二開放端部及び二つの開口を備え、前記円柱型の壁を通じて二つの密封リングが前記管状カバーの前記開放端部へ付け加えられ、二つの開口は二つの密封リングの間に設置され、
前記スライドピストンは、前記一節の管体の中に設置され、前記一節の管体の内部直径にほぼ等しい密封直径を備え、且つ第一閉鎖位置から第二開放位置へ移動することができ、
前記液体は、前記管状カバーの前記密封端部の近くに包み込まれ、且つ前記スライドピストン式開放装置に包囲され、前記管状カバーの中に密封され、
前記スライドピストン式開放装置において、前記管状カバーを押し付けてスライドピストンを推進させると、前記一節の管体の前記第一開放端部から前記第二開放端部へ至る流通経路を開放させることができることを特徴とする、
スライドピストン式開放装置。
【請求項６１】
前記スライドピストンは、楕円形状の輪郭を備えることを特徴とする、請求項６０に記載のスライドピストン式開放装置。
【請求項６２】
前記一節の管体の前記第二開放端部は、塗布器によって覆われていることを特徴とする、請求項６０又は６１に記載のスライドピストン式開放装置。
【考案の詳細な説明】
【技術分野】
【０００１】
本考案は、一般に細長い容器の中に包み込まれた液体を釈放するために使われる開放装置に関するものである。
【背景技術】
【０００２】
現在、色々な開放装置(opening means)が容器を開けるために使われているが、大多数の開放装置は、ねじ込み（screw-on）式又はホック（snap-on）式キャップ(cap)の形式を取っており、或る種の開放装置は容器の上に破壊することの出来るシール(frangible seal)又は刻み線(score line)を形成し、破壊することの出来るシール又は刻み線を破壊すると、容器の中の内容物を釈放できる。従ってこれらの開放装置は、スクリューキャップのように容器の外部に付帯されたものではなく、或いは破壊することの出来るシール又は刻み線のように容器の一部分として形成されている。
しかしこれらの開放装置は、液体を容器の中に密封すると共に、容易く且つ確実に液体を釈放し、一方では開封する目的を達成できるような容器の中に包み込まれた設計にはなっておらず、特に小さな断面面積を有する小型の細長い容器としては、尚更有効且つ使い易い開放装置が欠けている。
【考案の開示】
【考案が解決しようとする課題】
【０００３】
本考案の目的は、液体を容器の中に密封すると共に、一方では開封して容易く且つ確実に液体を釈放できるような、容器の中に包み込まれた開放装置を提供することにある。
【課題を解決するための手段】
【０００４】
本考案に係る細長い容器の中に密封された液体を釈放するために使われる開放装置は、完全に前記細長い容器の中に包み込まれたスライドピストン式開放装置であって、前記スライドピストンのところ又はその近くで押し出し延長された容器によって形成され、前記開放装置を打開すると、前記容器の中に密封された液体を釈放して使用することが出来、又、前記容器の内容物が使われてしまう前に、前記スライドピストン式開放装置は開口を再び閉じるために使用することが出来、これによって前記容器の中に残留する液体を改めて密封することが出来る。前記スライドピストン式開放装置がサンプル収集器の開放装置として使われる場合、スライドピストン式開放装置を先ず打開してサンプルを取り入れたり、次に閉じて収集されたサンプルを密封したりすることが出来る。
【考案を実施するための最良の形態】
【０００５】
図１及び図２は、スライドピストン式開放装置の好ましい実施例を示す。
前記好ましい実施例において、スライドピストン式開放装置(sliding piston opening means)は、一節の管体１と、管体の一部を貫通するスリット(slit)のような開口(opening)２と、管体１の中に設置された楕円形ピストン(elliptical shaped piston )３と、液体８と、を含み、前記楕円形ピストン３の上下両端はほぼ管体１の内部直径に等しい密封直径(sealing diameter)４となっている。前記密封直径４には、Ｏリング（Ｏ-ring）を設置して密封機能を付与してもよい。
スライドピストン式開放装置は、圧縮可能な細長い管状カバー５(compressible elongated tubular housing)の中に付け加えられ、前記管状カバー５には、密封端部６(sealed end)及び開放端部７(open end)を備え、且つスライドピストン式開放装置の外部直径とほぼ等しい内部直径を有し、前記液体８は、前記圧縮可能な細長い管状カバー５の密封端部６の近くに包み込まれ、且つスライドピストン式開放装置によって前記圧縮可能な細長い管状カバー５の開放端部７と分離され、圧縮可能な細長い管状カバー５の中に密封されている。
従って、スライドピストン３またはその付近において圧縮可能な細長い管状カバー５を押し付けると、スライドピストン式開放装置を操作することが出来る。
【０００６】
図３及び図５に示すように、閉鎖位置において、スライドピストン３は開口２のない管体１の末端に近いところに設置され、指の圧力がスライドピストン３の末端またはその付近において圧縮可能な細長い管状カバー５を押さえると、開口２のない管体１の末端近くで、スライドピストン３が開口２のある管体１の末端へ押される。
図４に示すように、スライドピストン３の密封周囲４が開口２を押し出されると、液体の流動経路を露出させ、圧縮可能な細長い管状カバー５の中の液体８がスライドピストン式開放装置を通じて釈放され、且つ圧縮可能な細長い管状カバー５の外へ流出する。
圧縮可能な細長い管状カバー５を押し付けて圧力を圧縮可能な細長い管状カバー５の中の液体８に加えると、液体８は圧縮可能な細長い管状カバー５から押しだされる、もし指でスライドピストン３のもう一方の端に対して圧力を加えると、スライドピストン３を閉鎖位置に押し戻すことが出来る。
圧縮可能な細長い管状カバー５に小さい断面面積があり、その表面張力のために液体８がスライドピストン式開放装置を開放するだけでは釈放されない場合は、表面張力破壊部品(surface tension disrupting member)を利用して毛細管動作を高め、液体８の表面張力に打ち勝ち、たとえ圧縮可能な細長い管状カバー５を押さえつけなくとも、確実に液体８を圧縮可能な細長い管状カバー５から釈放することが出来る。
前記表面張力破壊部品は、圧縮可能な細長い管状カバー５に差し込まれた細長い部品であり、圧縮可能な細長い管状カバー５の密封端部６につけ加えることが出来る。
【０００７】
図６・図７・図８・図９・図１０及び図１１は、スライドピストン式開放装置の別の実施例を示す、この実施例において、スライドピストン９はゴムのような弾力性の材料で作られる。
スライドピストンはほぼ楕円形をなし、スライドピストンを貫通させる貫通開口１０を備え、液体１１をスライドピストン９の一端からスライドピストン９のもう一方の端へ流れさせる。
図６に示すように、スライドピストン９は圧縮可能な細長い管状カバー１３の制限開口(restrictive opening)１２に差し込まれている。
制限開口１２がスライドピストン９を図９に示すような円形輪郭に圧縮することによって、スライドピストン９の開口１０を閉じ、液体１１は前記細長い管状カバー１３のスライドピストン式開放装置と細長い管状カバー１３の密封端部１４の間に包み込まれる。
スライドピストン９の任意の一端に対して圧力を加えると、図７に示すように、スライドピストン９は制限開口１２から押し離される。スライドピストン９が制限開口１２から釈放されると、図１０に示すように、スライドピストン９は元来の楕円形に戻って開口１０を拡張し、細長い管状カバー１３の中の液体１１を通過させる。拡張後のスライドピストン９は楕円形であり、その楕円形輪郭が細長い管状カバーの円形輪郭とマッチしないため、細長い管状カバー１３の中に差し止められたままである。
【０００８】
図１２及び図１３は、スライドピストン式開放装置の別の実施例を示す。
この実施例において、スライドピストン式開放装置は、一節の管体１と、管体の一部を貫通するスリットのような開口２と、管体１の中に設置され、両端の間に管体１の内部直径にほぼ等しい密封直径１６を備えた楕円形ピストン１５と、楕円形ピストン１５の一端に付け加えられた綿棒(cotton swab)又は泡沫プラスチック材(foam material)のような塗布器の先端１７と、液体８と、を含み、密封直径１６にはＯリング（Ｏ-ring）を設置して密封機能を付与してもよい。
スライドピストン式開放装置は、圧縮可能な細長い管状カバー１９の開放端部１８の中に付け加えられ、前記管状カバー１９には、密封端部２０及び開放端部１８を備え、且つスライドピストン式開放装置の外部直径とほぼ同じ内部直径を有し、液体８は、前記圧縮可能な細長い管状カバー１９の密封端部２０の近くに包み込まれ、且つスライドピストン式開放装置によって前記圧縮可能な細長い管状カバー１９の開放端部１８と分離され、液体８が圧縮可能な細長い管状カバー１９の中に密封されている。
従って、スライドピストン１５またはその付近において圧縮可能な細長い管状カバー１９を押し付けると、スライドピストン式開放装置を操作することが出来る。
閉鎖位置において、塗布器先端(applicator tip)１７を備えた楕円形ピストン１５は、細長い管状カバー１９の末端１８に近いところに置かれ、指の圧力が圧縮可能な細長い管状カバー１９の楕円形ピストン１５の末端及び開口２のない管体１の末端付近を押しつけると、スライドピストン１５は細長い管状カバー１９の末端１８のほうへ押され、塗布器先端１７が細長い管状カバー１９から伸び出し、液体の流動経路を露出し、圧縮可能な細長い管状カバー１９の中の液体８がスライドピストン式開放装置を通じて釈放され、且つ圧縮可能な細長い管状カバー１９から離れて塗布器先端１７へ流れる。
圧縮可能な細長い管状カバー１９を押し付けて、圧縮可能な細長い管状カバー１９の中の液体８に圧力を加えると、液体８は圧縮可能な細長い管状カバー１９の外に押し出される。
【０００９】
図１４・図１５及び図１６は、スライドピストン式開放装置の別の実施例を示す。
この実施例において、スライドピストン式開放装置は第一短管区間(short tubular section)２１及び第二短管区間２２を含み、且つ第二短管区間２２の一部分を貫通するスリットのような開口２３と、第一短管区間２２の中に設置され、両端の間に第一短管区間２１及び第二短管区間２２の内部直径にほぼ等しい密封直径４を備えた楕円形ピストン３と、液体８と、を含む。
密封直径４にはＯリングを設置して密封機能を付与してもよい。スライドピストン式開放装置は、圧縮可能な細長い管状カバー２４に近いところに付け加えられ、前記管状カバー２４には、密封端部２５及び開放端部２６を備え、且つスライドピストン式開放装置の外部直径とほぼ等しい内部直径を有し、液体８は、前記圧縮可能な細長い管状カバー２４の密封端部２５の近くに包み込まれ、且つスライドピストン式開放装置によって前記圧縮可能な細長い管状カバー２４の開放端部２６と分離され、圧縮可能な細長い管状カバー２４の中に密封されている。
従って、スライドピストン式開放装置またはその付近において圧縮可能な細長い管状カバー２４を押し付けると、スライドピストン式開放装置を操作することが出来る。
【００１０】
図１４及び図１５に示すように、閉鎖位置において、楕円形ピストン３の密封直径４は、第一短管区間２１の中に設置され、指の圧力が圧縮可能な細長い管状カバー２４の第一短管区間２１又はその付近を押し付けると、スライドピストン３の密封周囲４が開口２３を備えた第二短管区間２２の方へ押され、スライドピストン３の密封周囲４が第一短管区間２１から押し出されると、液体の流動経路が露出され、圧縮可能な細長い管状カバー２４の中の液体がスライドピストン式開放装置を通じて釈放され、且つ圧縮可能な細長い管状カバー２４から流れ出す。楕円形ピストン３の密封周囲４が第一短管区間２１の末端から押し出されると、楕円形ピストン３は直ちに第二短管区間２２に捕捉される。第一短管区間２１と第二短管区間２２の間の距離が楕円形ピストン３の長さより大きい場合、楕円形ピストン３は第一短管区間２１と第二短管区間２２の間の区域に留まり、どの区間にも捕捉されないですむ。
圧縮可能な細長い管状カバー２４に小さい断面面積があり、その表面張力のために液体８がスライドピストン式開放装置を開放するだけでは釈放されない場合は、表面張力破壊部品を利用して毛細管動作を高め、液体８の表面張力に打ち勝ち、たとえ圧縮可能な細長い管状カバー２４を押さえつけなくとも、確実に液体８を圧縮可能な細長い管状カバー２４から釈放することが出来る、前記表面張力破壊部品は、圧縮可能な細長い管状カバー２４に差し込まれた細長い部品であり、圧縮可能な細長い管状カバー２４の密封端部２５につけ加えることが出来る。
【００１１】
図１７及び図１８は、スライドピストン式開放装置のもう一つ別の代替実施例を示す。この実施例において、スライドピストン式開放装置は、一節の管体１と、管体の一部を貫通するスリットのような開口２と、両端がほぼ楕円形をなすピストン２７と、液体８と、を含み、図１７に示すように、ピストンの両端間に、管体１の内部直径にほぼ等しい密封直径２８を備え、開口のある末端から遠く離れた位置に設置されている、上述開示した実施例において、スライドピストン式開放装置は、圧縮可能な細長い管状カバーの中に付け加えられ、前記管状カバーには密封端部及び開放端部を備え、且つスライドピストン式開放装置の外部直径とほぼ等しい内部直径を有し、液体８は、圧縮可能な細長い管状カバーの密封端部の付近に包み込まれ、且つスライドピストン式開放装置によって圧縮可能な細長い管状カバー開放端部と分離され、圧縮可能な細長い管状カバーの中に密封されている。
従って、スライドピストン式開放装置又はその付近において圧縮可能な細長い管状カバーを押し付けると、スライドピストン式開放装置を操作することが出来る。
閉鎖位置において、ピストン２７・２９の密封直径２８・３０は、開口２のない管体１の末端付近に設置され、指の圧力がスライドピストン式開放装置又は其れに近いところの圧縮可能な細長い管状カバーを押し付けると、ピストン２７・２９が開口２の有る管体１の末端の方へ押される。ピストン２７・２９の密封周囲２８・３０が開口２から押し出されると、液体の流動経路を露出させ、圧縮可能な細長い管状カバーの中の液体をスライドピストン式開放装置を通じて釈放し、且つ圧縮可能な細長い管状カバーの外へ流すことが出来る。
圧縮可能な細長い管状カバーに小さい断面面積があり、その表面張力のために液体８がスライドピストン式開放装置を開放するだけでは釈放されない場合は、表面張力破壊部品を利用して毛細管動作を高め、液体８の表面張力に打ち勝ち、たとえ圧縮可能な細長い管状カバーを押さえつけなくとも、確実に液体８を圧縮可能な細長い管状カバーから釈放することが出来る、前記表面張力破壊部品は、圧縮可能な細長い管状カバーに差し込まれた細長い部品であり、圧縮可能な細長い管状カバーの密封端部につけ加えることが出来る。
【００１２】
図１９は、スライドピストン式開放装置のもう一つ別の実施例を示す。
この実施例において、図１８に示すスライドピストン式開放装置は、二つの開放端部を備えた細長い管状カバー３１の中に付け加えられ、液体８は、細長い管状カバー３１の中に密封され、スライドピストン式開放装置とシリコン(silicone)のような粘性物質３２との間に介在し、スライドピストン式開放装置を開放すると、液体８は、重力の関係で細長い管状カバー３１の下向きの末端から釈放されることが出来る。
塗布器先端３３、例えば綿棒・スポンジ又はブラシは、細長い管状カバー３１のしかるべき開放端部に取り付けることが出来る。
【００１３】
図２０は、スライドピストン式開放装置のもう一つ別の実施例を示す。
この実施例において、図１８に示すスライドピストン式開放装置は、細長い管状カバー３１の中の二つの開放端部に近いそれぞれの開放端部に取り付けることが出来、液体８は、細長い管状カバー３１の中に密封され、二つのスライドピストン式開放装置の間に介在し、二つのスライドピストン式開放装置が開けられると、液体８は重力の関係で細長い管状カバー３１の下向きの末端から釈放されることが出来る。
塗布器先端３３、例えば綿棒・スポンジ又はブラシは、細長い管状カバー３１のしかるべき開放端部に取り付けることが出来る。
【００１４】
図２１は、スライドピストン式開放装置のもう一つ別の実施例を示す。
密封端部３５及び開放端部３６を備える圧縮可能な細長い管状カバー３４は、二つの末端３５・３６の間に制限開口３７を備え、スライドピストン３８は、液体８を細長い管状カバー３４に密封するため、制限開口３７に設置されている。スライドピストン３８又はその付近において細長い管状カバー３４を押し付けると、スライドピストン３８が制限開口３７の位置から制限開口３７と遠く離れた位置へ移動することによって、液体８が細長い管状カバー３４の開放端部３６まで流れる液体流動経路を暴露する。綿棒や泡沫プラスチック材のような塗布器先端３９を、細長い管状カバー３４の開放端部３６に取り付けることが出来る。
図２２は、本案実施例におけるスライドピストン式開放装置のもう一つの変化を示す、スライドピストン４０は、延長した細長い部分を備え、その一端には密封直径４１を有し、もう一方の端には楕円形の端末を備え、密封直径４１は、細長い管状カバー３４の制限開口３７の中に設置されることによって、液体８を細長い管状カバー３４の中に密封し、楕円形端末はスライドピストン４０を制限開口３７から遠く離れた位置へ移動させる。
【００１５】
図２３は、もう一つ別の実施例を示す。
圧縮可能な細長い管状カバー４２の中にあるスライドピストン式開放装置には、開放端部４３と、密封端部４４と、スリットのような開口４５と、Ｖ字型刻み線と、或いは細長い管状カバー４２の開放端部４３付近に形成されたホールと、細長い管状カバー４２の開放端部４３の中に設置されたスライドピストン３と、を含み、前記スライドピストン３は、細長い管状カバーの内部直径にほぼ等しい密封直径４を備え、液体８と細長い管状カバー４２の開口４５との間に介在している。スライドピストン３が指の圧力によって細長い管状カバー４２の開放端部４３の方へ押され、且つ細長い管状カバー４２の開口４５を超えて開放端部４３へ接近すると、液体の流通経路が暴露されることによって、細長い管状カバー４２の中に包み込まれた液体８を釈放する。
開放端部４３及び細長い管状カバー４２の開放端部４３に接近した開口４５は、綿棒又は泡沫プラスチック材のような塗布器先端４６によって覆われ、細長い管状カバー４２から釈放された液体８は、塗布器先端４６へ入って応用される。
圧縮可能な細長い管状カバー４２に小さい断面面積があり、その表面張力のために液体８がスライドピストン式開放装置を開放するだけでは釈放されない場合は、表面張力破壊部品４７を利用して毛細管動作を高め、液体８の表面張力に打ち勝ち、たとえ圧縮可能な細長い管状カバー４２を押さえつけなくとも、確実に液体８を圧縮可能な細長い管状カバー４２から釈放することが出来る、前記表面張力破壊部品４７は、圧縮可能な細長い管状カバー４２に差し込まれた細長い部品であり、圧縮可能な細長い管状カバー４２の密封端部４４につけ加えることが出来る。
【００１６】
図２４は、図２３のスライドピストン式開放装置の実施例のもう一つの変化を示す。
この実施例において、図２３に示すスライドピストン式開放装置は塗布器先端４６を備えておらず、密封端部４９と開放端部５０の第二細長い管状カバー４８の中に設置され、綿棒又は泡沫プラスチック材のような塗布器先端５１が第二細長い管状カバー４８の開放端部５０に付け加えられ、且つ第二細長い管状カバー４８の開放端部５０の外まで延伸し、スライドピストン式開放装置が開放されると、液体８が第二細長い管状カバー４８へ釈放され、塗布器先端へ入る。
第一細長い管状カバーと第二細長い管状カバー４８は、単一の単元として形成されることによって、単一の細長い管状カバーを形成することが出来る。
密封端部に近いところはより小さい内部直径を備え、開放端部に近いところはより大きい内部直径を備えている。
【００１７】
図２５は、図２４のスライドピストン式開放装置の実施例のもう一つの変化を示す。
この実施例において、第二細長い管状カバー５３の開放端部５２は、縮減された直径を備え、より小さい塗布器先端５４を開放端部５２に付け加えてある。
【００１８】
図２６は、スライドピストン式開放装置の実施例のもう一つの変化を示す。
この実施例において、第一細長い管状カバー５５には開放端部５６と密封端部５７が備わり、前記第一細長い管状カバー５５の開放端部５６内に接近して設置されたスライドピストン３には、第一細長い管状カバー内部直径にほぼ等しい密封直径４があり、液体８を第一細長い管状カバー５５の密封端部５７に近い第一細長い管状カバー５５の中に密封している。第一細長い管状カバー５５は、開放端部５９及び密封端部６０を備えた第二細長い管状カバー５８の中に設置され、第一細長い管状カバー５５の密封端部５７は、第二細長い管状カバー５８の密封端部６０に近いところに設置され、第二細長い管状カバー５８の開放端部５９は、綿棒又は泡沫プラスチック材のような塗布器先端６１によって覆われ、スライドピストン３が指の圧力によって第一細長い管状カバー５５の開放端部６０から押し出されると、液体の流通経路が暴露されることによって第一細長い管状カバー５５の中に包み込まれた液体８が釈放され、第一細長い管状カバー５５及び第二細長い管状カバー５８から釈放された液体８が塗布器先端６１に入ることによって応用される。
圧縮可能な細長い管状カバーに小さい断面面積があり、その表面張力のために液体８がスライドピストン式開放装置を開放するだけでは釈放されない場合は、表面張力破壊部品４７を利用して毛細管動作を高め、液体８の表面張力に打ち勝ち、たとえ圧縮可能な細長い管状カバー５５を押さえつけなくとも、確実に液体８を圧縮可能な細長い管状カバー５５から釈放することが出来る、前記表面張力破壊部品４７は、圧縮可能な細長い管状カバー５５に差し込まれた細長い部品であり、圧縮可能な細長い管状カバー５５の密封端部５７につけ加えることが出来る。
【００１９】
図２７は、図２６のスライドピストン式開放装置の実施例のもう一つの変化を示す。
この実施例において、綿棒又は泡沫プラスチック材のような塗布器先端６２が第二細長い管状カバー５８の開放端部５９に付け加えられ、且つ第二細長い管状カバー５８の開放端部５９の外まで延伸し、スライドピストン式開放装置が開放されると、液体８が第二細長い管状カバー５８へ釈放され、塗布器先端６２へ入る；第一細長い管状カバー５５と第二細長い管状カバー５８は、単一の単元として形成されることによって、単一の細長い管状カバーを形成することが出来る。
密封端部に近いところはより小さい内部直径を備え、開放端部に近いところはより大きい内部直径を備えている。
【００２０】
図２８は、図２７のスライドピストン式開放装置の実施例のもう一つの変化を示す。
この実施例において、図２７の塗布器は棒状の塗布器にとって替わられ、細長い中空の管体６３を備え、塗布器先端６４が前記管体６３の一端に付け加えられ、細長い中空管体６３の外部直径はほぼ細長い管状カバーの直径の開放端部の内部直径に等しく、塗布器先端６４と反対側にある棒状塗布器のもう一方の端は、細長い管状カバーの開放端部に挿入且つ付け加えられている、この実施例においては、硬くて細長い中空の管体を採用して、塗布器先端６４と合わせて使用し、比較的硬い柄を提供することが出来る。
【００２１】
図２９は、図２６のスライドピストン式開放装置の実施例のもう一つの変化を示す。
この実施例において、第二細長い管状カバー６６の開放端部６５は縮減された直径を備え、比較的小さい塗布器先端６７が開放端部６５に付加され、第一細長い管状カバー５５及び第二細長い管状カバー６６は、単一の単元として形成されてもよく、単一の細長い管状カバーは密封端部に近いところに比較的小さい内部直径を備え、開放端部に近いところでは比較的大きい内部直径を有し、そして単一の細長い管状カバーの開放端部には縮減された直径が備えてある。
【００２２】
図３０は、スライドピストン式開放装置のもう一つの実施例を示す。
この実施例において、細長い管状カバー６９のリミット６８内に設置されたスライドピストン３は、ほぼ細長い管状カバーのリミット６８の直径に等しい密封直径４を備え、細長い管状カバー６９には開放端部７０及び密封端部７１を備え、スライドピストン３が液体８を細長い管状カバー６９の密封端部７１に近いところに密封している。細長い管状カバー６９の開放端部７０は、綿棒又は泡沫プラスチック材のような塗布器先端７２によって覆われ、スライドピストン３が指の圧力によって細長い管状カバー６９のリミット６８を超えて押し出されると、液体の流通経路が暴露されて細長い管状カバー６９の中に包み込まれた液体８を釈放し、細長い管状カバー６９から釈放された液体８は、塗布器先端７２に入って応用される。
細長い管状カバー６９に小さい断面面積があり、その表面張力のために液体８がスライドピストン式開放装置を開放するだけでは釈放されない場合は、表面張力破壊部品４７を利用して毛細管動作を高め、液体８の表面張力に打ち勝ち、たとえ圧縮可能な細長い管状カバー６９を押さえつけなくとも、確実に液体８を圧縮可能な細長い管状カバー６９から釈放することが出来る、前記表面張力破壊部品は、圧縮可能な細長い管状カバー６９に差し込まれた細長い部品であり、圧縮可能な細長い管状カバー６９の密封端部７１に付け加えることが出来る。
【００２３】
図３１は、図３０のスライドピストン式開放装置の実施例のもう一つの変化を示す。
この実施例において、綿棒又は泡沫プラスチック材のような塗布器先端７３が細長い管状カバー６９の開放端部７０に付け加えられ、且つ細長い管状カバー６９の開放端部７０の外まで延伸し、スライドピストン式開放装置が開かれると、液体８が釈放されて塗布器先端７３へ入る。
【００２４】
図３２は、図３０のスライドピストン式開放装置の実施例の又もう一つの変化を示す。
この実施例において、細長い管状カバー７５の開放端部７４には縮減された直径を有し、比較的小さい塗布器先端７６を開放端部７４に付け加えることが出来る。
【００２５】
図３３は、スライドピストン式開放装置のもう一つの実施例を示す。
この実施例において、第一細長い管状カバー７７に備えられた密封端部７８と、第一細長い管状カバー７７の一端に近いところに形成されたスリット又はホールのような開口７９と、細長い管状カバー５５に近い一端に設置され、ほぼ第一細長い管状カバー７７の内部直径に等しい密封直径４と、液体８及び開口７９の間に介在するスライドピストン３と、を含み、スライドピストン３が指の圧力によって第一細長い管状カバー７７の開口７９から押し出されると、液体流通経路が暴露され、第一細長い管状カバー７７の中に包み込まれた液体８を釈放する。
第一細長い管状カバー７７は、密封端部８１及び開放端部８２を備えた第二細長い管状カバー８０の中に設置され、第二細長い管状カバー８０の開放端部８２は、綿棒又は泡沫プラスチック材のような塗布器先端８３によって覆われ、細長い管状カバーから釈放された液体８は、塗布器先端８３に入って応用される。
【００２６】
図３４は、スライドピストン式開放装置のもう一つの実施例を示す。
この実施例において、スライドピストン式開放装置は、細長い管体８４と、前記細長い管体８４の管壁を貫通するようなスリット又はホールを備え、前記細長い管体８４の一端に設置された開口８５と、細長い管体８４の中に設置され、ほぼ細長い管体８４の内部直径に等しい密封直径４を備えたスライドピストン３と、を含み、細長い管体８４は、密封端部８８及び開放端部８６を備えた細長い管状カバー８７の開放端部８６に付け加えられている。液体８は密封端部８８に近いところの細長い管状カバー８７の中に置かれ、細長い管体８４を、開放端部８６に付け加えることによって、スライドピストン３を細長い管状カバー８７の中の液体８及び細長い管体８４の開口８５の間に設置し、細長い管体８４とスライドピストン３によって細長い管状カバー８７の開放端部８６及び液体８をその中に密封している。
スライドピストン３が細長い管体８４の開口８５を超えて押し出されると、液体流動経路が暴露され、細長い管状カバー８７の中に包み込まれた液体８が釈放される。
細長い管体８４の開口８５は、綿棒又は泡沫プラスチック材のような塗布器先端８９によって覆われ、細長い管状カバー８７から釈放された液体８は、塗布器先端８９に入って応用される。
【００２７】
図３５は、スライドピストン式開放装置のもう一つの実施例を示す。
この実施例において、スライドピストン式開放装置は、二つの開放端部及び細長い管体９０の管壁を貫通するスリット又はホールのような開口９１・９２を備えた細長い管体９０と、ほぼ細長い管体９０の内部直径に等しい密封直径４を備え、細長い管体９０の中に設置され、且つ二つの開口９１・９２の間ではない位置に設置されたスライドピストン３と、を含み、前記細長い管体９０は、密封端部９５及び開放端部９３を備えた細長い管状カバー９４の開放端部９３に付け加えられている。
液体８は、密封端部９５に近いところの細長い管状カバー９４の中に置かれ、細長い管体９０を開放端部９３に付け加えることによって、スライドピストン３が細長い管状カバー９４の中に置かれた液体８と細長い管体９０の開口９１・９２の間に設置され、細長い管体９０及びスライドピストン３が付け加えられ、且つ細長い管状カバー９４と細長い管体９０の間の二つの密封表面９６・９７の位置によって、細長い管状カバー９４の開放端部９３及び液体８をその中に密封している。
【００２８】
図３６に示すように、スライドピストン３が細長い管体９０の第一開口９１を超えて押し出されると、液体流動経路が暴露され、細長い管状カバー９４の中に包み込まれた液体８が釈放される。液体８は細長い管体９０の中へ流れ込み、且つ第一開口９１から離れ、細長い管状カバー９４及び細長い管体９０の間の空間に入り、その後、液体８は第二開口９２を通じて再び入り込み、且つ細長い管体９０を通じて流れ出す。
細長い管体９０は、綿棒又は泡沫プラスチック材のような塗布器先端９８によって覆われ、細長い管状カバー９４から釈放された液体８は、塗布器先端９８に入って応用される。
上述スライドピストン式開放装置に関する多くの実施例において、もし細長い管状カバーに最初から液体８を含まない場合は、サンプル収集器として使用することも出来る。その方式は、先ずスライドピストン式開放装置を開き、細長い管状カバーを押し付けて圧力を圧縮・伸張可能な管状カバーに対して加え、大部分の空気を細長い管状カバーから追い出し、次に細長い管状カバーの開放端部をサンプルに差し入れてサンプル収集を行った後、細長い管状カバーに対する圧力を開放し、細長い管状カバーが拡張できるようにすることによって、サンプルが細長い管状カバーの中に吸収される。次に、スライドピストン式開放装置を閉じ、収集されたサンプルを密封する、収集されたサンプルは保存されるか、或いは別の地点へ送られ、一歩進んだテストを行うことが出来る。
【００２９】
上述の説明では明確にかなり多くの実施例を挙げているが、本考案の範疇を限定するものではなく、ただ本考案のいくつかの好ましい実施例の説明を提供したものである。
従って、本考案の範疇は実用新案登録請求の範囲及び同じ法律効力を有する内容によって特定すべきで、ここに挙げられた範例を主体とするべきではないものとする。
【図面の簡単な説明】
【００３０】
【図１】スライドピストン式開放装置が閉鎖位置にある好ましい実施例の断面図である。
【図２】スライドピストン式開放装置が開放位置にある好ましい実施例の断面図である。
【図３】スライドピストン式開放装置が閉鎖位置にある拡大図である。
【図４】スライドピストン式開放装置が開放位置にある拡大図である。
【図５】スライドピストン式開放装置が閉鎖位置にあるもう一つの好ましい実施例の拡大図である。
【図６】スライドピストン式開放装置が閉鎖位置にあるもう一つの好ましい実施例の断面図である。
【図７】図６において、スライドピストン式開放装置が開放位置にある実施例の断面図である。
【図８】図６において、スライドピストン式開放装置が閉鎖位置にある拡大図である。
【図９】図６及び図８において、スライドピストン式開放装置が閉鎖位置にある末端の拡大図である。
【図１０】図７において、スライドピストン式開放装置が開放位置にある拡大図である。
【図１１】図７及び図１０において、スライドピストン式開放装置が開放位置にある末端の拡大図である。
【図１２】スライドピストン式開放装置が閉鎖位置にあるもう一つの好ましい実施例の断面図である。
【図１３】図１２において、スライドピストン式開放装置が開放位置にある実施例の断面図である。
【図１４】スライドピストン式開放装置が閉鎖位置にあるもう一つの実施例の断面図である。
【図１５】スライドピストン式開放装置が閉鎖位置にあるもう一つの実施例の断面図である。
【図１６】図１４及び図１５において、スライドピストン式開放装置の拡大図である。
【図１７】スライドピストン式開放装置が閉鎖位置にあるもう一つの実施例の断面拡大図である。
【図１８】スライドピストン式開放装置が閉鎖位置にあるもう一つの実施例の断面拡大図である。
【図１９】スライドピストン式開放装置が閉鎖位置にあるもう一つの実施例の断面図である。
【図２０】スライドピストン式開放装置が閉鎖位置にあるもう一つの実施例の断面図である。
【図２１】スライドピストン式開放装置が閉鎖位置にあるもう一つの実施例の断面図である。
【図２２】スライドピストン式開放装置が閉鎖位置にあるもう一つの実施例の断面図である。
【図２３】スライドピストン式開放装置が閉鎖位置にあるもう一つの実施例の断面図である。
【図２４】スライドピストン式開放装置が閉鎖位置にあるもう一つの実施例の断面図である。
【図２５】スライドピストン式開放装置が閉鎖位置にあるもう一つの実施例の断面図である。
【図２６】スライドピストン式開放装置が閉鎖位置にあるもう一つの実施例の断面図である。
【図２７】スライドピストン式開放装置が閉鎖位置にあるもう一つの実施例の断面図である。
【図２８】スライドピストン式開放装置が閉鎖位置にあるもう一つの実施例の断面図である。
【図２９】スライドピストン式開放装置が閉鎖位置にあるもう一つの実施例の断面図である。
【図３０】スライドピストン式開放装置が閉鎖位置にあるもう一つの実施例の断面図である。
【図３１】スライドピストン式開放装置が閉鎖位置にあるもう一つの実施例の断面図である。
【図３２】スライドピストン式開放装置が閉鎖位置にあるもう一つの実施例の断面図である。
【図３３】スライドピストン式開放装置が閉鎖位置にあるもう一つの実施例の断面図である。
【図３４】スライドピストン式開放装置が閉鎖位置にあるもう一つの実施例の断面図である。
【図３５】スライドピストン式開放装置が閉鎖位置にあるもう一つの実施例の断面図である。
【図３６】図３５において、スライドピストン式開放装置が開放位置にある断面図である。
【符号の説明】
【００３１】
0003126346.tif 000003
0003126346.tif 000004
【図１】
0003126346.tif 000005
【図２】
0003126346.tif 000006
【図３】
0003126346.tif 000007
【図４】
0003126346.tif 000008
【図５】
0003126346.tif 000009
【図６】
0003126346.tif 000010
【図７】
0003126346.tif 000011
【図８】
0003126346.tif 000012
【図９】
0003126346.tif 000013
【図１０】
0003126346.tif 000014
【図１１】
0003126346.tif 000015
【図１２】
0003126346.tif 000016
【図１３】
0003126346.tif 000017
【図１４】
0003126346.tif 000018
【図１５】
0003126346.tif 000019
【図１６】
0003126346.tif 000020
【図１７】
0003126346.tif 000021
【図１８】
0003126346.tif 000022
【図１９】
0003126346.tif 000023
【図２０】
0003126346.tif 000024
【図２１】
0003126346.tif 000025
【図２２】
0003126346.tif 000026
【図２３】
0003126346.tif 000027
【図２４】
0003126346.tif 000028
【図２５】
0003126346.tif 000029
【図２６】
0003126346.tif 000030
【図２７】
0003126346.tif 000031
【図２８】
0003126346.tif 000032
【図２９】
0003126346.tif 000033
【図３０】
0003126346.tif 000034
【図３１】
0003126346.tif 000035
【図３２】
0003126346.tif 000036
【図３３】
0003126346.tif 000037
【図３４】
0003126346.tif 000038
【図３５】
0003126346.tif 000039
【図３６】
0003126346.tif 000040